(57)【要約】      （修正有）【課題】取扱いが容易であるとともに、蓄熱材の漏れを防止することができる蓄熱体を提供すること。【解決手段】蓄熱材を収容する内側袋部材６６と、内側袋部材６６の片面側を覆う金属プレート６８と、内側袋部材６６の他面側に取り付けられた永久磁石部材７４と、内側袋部材６６及び金属プレート６８を収容する外側袋部材７０とを備える蓄熱体。内側袋部材６６及び外側袋部材７０は熱伝導性の良い材料から形成され、永久磁石部材７４は内側袋部材６６の外面に取り付けられ、外側袋部材７０は、永久磁石部材７４の磁力でもって、冷却ショーケースの陳列載置部の上方の陳列天井部８０の内面側に取り付けられる。そして、この金属プレート６８は、陳列天井部８０に取り付けた状態において内側袋部材６６の表面側を覆う。【選択図】図３
2017150729.tif 000002
【特許請求の範囲】
【請求項１】
熱を蓄えるための蓄熱材と、前記蓄熱材を収容する収容体と、前記収容体の外面に取り付けられた取付け部材と、を備え、前記収容体は、前記取付け部材でもって冷却ショーケースの陳列載置部に載置された商品の上方に配置された陳列天井部の内面側に取り付けられることを特徴とする蓄熱体。
【請求項２】
前記取付け部材は永久磁石部材から構成され、前記収容体は、前記永久磁石部材により前記陳列天井部の内面に磁気的に取り付けられることを特徴とする請求項１に記載の蓄熱体。
【請求項３】
前記収容体は前記内側袋部材から構成され、前記内側袋部材内に前記蓄熱材が収容され、前記内側袋部材の片側に金属プレートが取り付けられ、前記永久磁石部材は前記内側袋部材の他面側に取り付けられ、前記内側袋部材、前記永久磁石部材及び前記金属プレートが外側袋部材に収容され、前記内側袋部材及び前記外側袋部材が熱伝導性の良い材料から形成されていることを特徴とする請求項２に記載の蓄熱体。
【請求項４】
前記金属プレートは磁性材料から形成され、前記内側袋部材は、前記永久磁石部材により前記金属プレートに磁気的に保持されていることを特徴とする請求項３に記載の蓄熱体。
【請求項５】
前記内側袋部材の両端部には、密封袋状とするための耳部分が設けられており、前記永久磁石部材は、前記内側袋部材の前記両端部の前記耳部分に配設されていることを特徴とする請求項３又は４に記載の蓄熱体。
【請求項６】
前記収容体は合成樹脂製の収容容器から構成され、前記収容容器内に前記蓄熱材が収容され、前記永久磁石部材は前記収容容器の片面側に取り付けられ、前記収容容器の他面側に金属プレートが取り付けられていることを特徴とする請求項２に記載の蓄熱体。
【請求項７】
前記収容容器、前記永久磁石部材及び前記金属プレートが保護用袋部材に収容され、前記保護用袋部材が熱伝導性の良い材料から形成されていることを特徴とする請求項６に記載の蓄熱体。
【請求項８】
陳列室を備えたケース本体と、前記ケース本体の上端部に設けられた吹出し口と、前記ケース本体の下端部に設けられた吸込み口と、前記陳列室の外側にて前記吸込み口と前記吹出し口とを連通する循環ダクトと、前記循環ダクト内に配設された冷却器とを備え、前記ケース本体の前記陳列室には上下方向に間隔をおいて複数の陳列載置部が配設され、前記複数の陳列載置部の上方には陳列天井部が設けられ、更に、前記陳列天井部の内面側には蓄熱体が取り付けられていることを特徴とする冷却ショーケース。
【発明の詳細な説明】
【技術分野】
【０００１】
本発明は、蓄熱するための蓄熱材を収容した蓄熱体及びこれを用いた冷却ショーケースに関する。
【背景技術】
【０００２】
商品、例えばペットボトル飲料、アルミ缶飲料などを展示するのにオープン型の冷却ショーケースが広く用いられている。このオープン型の冷却ショーケースは、陳列室（陳列空間）を備えたケース本体と、ケース本体の上端部に設けられた吹出し口と、ケース本体の下端部に設けられた吸込み口と、陳列室の外側にて吸込み口と吹出し口とを連通する循環ダクトと、循環ダクト内に配設された冷却器とを備え、ケース本体の陳列室には、上下方向に間隔をおいて複数の陳列載置部が配設され、これら陳列載置部に商品（ペットボトル飲料、アルミ缶飲料など）が載置される。
【０００３】
このような冷却ショーケースにおいては、省エネルギー化を図るために、商品を載置する陳列載置部に蓄熱体を配設したものが提案されている（例えば、特許文献１参照）。即ち、冷却ショーケースの陳列載置部に商品載置台が載置され、この商品載置台に商品（ペットボトル飲料など）が載置陳列されるとともに、この商品載置台と陳列載置部との間に蓄熱体が収容される。
【０００４】
オープン型の冷却ショーケースに上述したように蓄熱体を配設した場合、この蓄熱体の蓄熱材に蓄えられた冷熱を利用して陳列室（陳列空間）内を冷却することができ、これによって、冷却するための冷凍ユニット（特に、圧縮機）の作動停止（サーモアウト）から作動開始（サーモイン）までの期間を長くすることができ、また冷凍ユニット（特に、圧縮機）のオン・オフ回数を少なくすることができ、その結果、ショーケースの省エネルギー運転を達成することができる。
【先行技術文献】
【特許文献】
【０００５】
【特許文献１】特開２０１６−７４１９号公報
【発明の概要】
【発明が解決しようとする課題】
【０００６】
しかしながら、公知のオープン型の冷却ショーケースでは、その商品載置台と陳列載置部との間の空間に蓄熱体が収容される構成であるために、蓄熱体内の蓄熱材に蓄熱された冷熱が冷却ショーケースの陳列室に向けて流れ難く、蓄熱材から放熱された冷熱を陳列室の冷却に効果的に利用することができない。
【０００７】
本発明の目的は、蓄熱材に蓄熱された冷熱を冷却ショーケースの陳列室の冷却に効果的に利用することができる蓄熱体を提供することである。
【０００８】
また、本発明の他の目的は、蓄熱体を用いて陳列室を効果的に冷却することができる冷却ショーケースを提供することである。
【課題を解決するための手段】
【０００９】
本発明の請求項１に記載の蓄熱体は、熱を蓄えるための蓄熱材と、前記蓄熱材を収容する収容体と、前記収容体の外面に取り付けられた取付け部材と、を備え、前記収容体は、前記取付け部材でもって冷却ショーケースの陳列載置部に載置された商品の上方に配置された陳列天井部の内面側に取り付けられることを特徴とする。
【００１０】
また、本発明の請求項２に記載の蓄熱体では、前記取付け部材は永久磁石部材から構成され、前記収容体は、前記永久磁石部材により前記陳列天井部の内面に磁気的に取り付けられることを特徴とする。
【００１１】
また、本発明の請求項３に記載の蓄熱体では、前記収容体は前記内側袋部材から構成され、前記内側袋部材内に前記蓄熱材が収容され、前記内側袋部材の片側に金属プレートが取り付けられ、前記永久磁石部材は前記内側袋部材の他面側に取り付けられ、前記内側袋部材、前記永久磁石部材及び前記金属プレートが外側袋部材に収容され、前記内側袋部材及び前記外側袋部材が熱伝導性の良い材料から形成されていることを特徴とする。
【００１２】
また、本発明の請求項４に記載の蓄熱体では、前記金属プレートは磁性材料から形成され、前記内側袋部材は、前記永久磁石部材により前記金属プレートに磁気的に保持されていることを特徴とする。
【００１３】
また、本発明の請求項５に記載の蓄熱体では、前記内側袋部材の両端部には、密封袋状とするための耳部分が設けられており、前記永久磁石部材は、前記内側袋部材の前記両端部の前記耳部分に配設されていることを特徴とする。
【００１４】
また、本発明の請求項６に記載の蓄熱体では、前記収容体は合成樹脂製の収容容器から構成され、前記収容容器内に前記蓄熱材が収容され、前記永久磁石部材は前記収容容器の片面側に取り付けられ、前記収容容器の他面側に金属プレートが取り付けられていることを特徴とする。
【００１５】
また、本発明の請求項７に記載の蓄熱体では、前記収容容器、前記永久磁石部材及び前記金属プレートが保護用袋部材に収容され、前記保護用袋部材が熱伝導性の良い材料から形成されていることを特徴とする。
【００１６】
更に、本発明の請求項８に記載の冷却ショーケースは、陳列室を備えたケース本体と、前記ケース本体の上端部に設けられた吹出し口と、前記ケース本体の下端部に設けられた吸込み口と、前記陳列室の外側にて前記吸込み口と前記吹出し口とを連通する循環ダクトと、前記循環ダクト内に配設された冷却器とを備え、前記ケース本体の前記陳列室には上下方向に間隔をおいて複数の陳列載置部が配設され、前記複数の陳列載置部の上方には陳列天井部が設けられ、更に、前記陳列天井部の内面側には蓄熱体が取り付けられていることを特徴とする。
【発明の効果】
【００１７】
本発明の請求項１に記載の蓄熱体によれば、蓄熱材を収容する収容体が取付け部材により冷却ショーケースの陳列天井部の内面側に取り付けられるので、この蓄熱材からの冷熱は、下方に流れて陳列載置部上の商品を冷却した後にこの冷却ショーケースの前面側に流れるようになり、従って、蓄熱材から放熱される冷熱によって、冷却ショーケースの陳列室を効果的に冷却することができる。
【００１８】
また、本発明の請求項２に記載の蓄熱体によれば、取付け部材が永久磁石部材から構成されているので、この永久磁石部材の磁力を利用して、収容体を陳列天井部の内面に磁気的に取り付けることができる。
【００１９】
また、本発明の請求項３に記載の蓄熱体によれば、蓄熱材が内側袋部材に充填され、この内側袋部材の片面側に金属プレートが配設され、内側袋部材、金属プレート及び永久磁石部材が外側袋部材に収容されるので、蓄熱材が充填された内側袋部材を金属プレートで保護し、内側袋部材に傷などが付くのを防止することができる。また、内側袋部材の他面側に永久磁石部材が取り付けられているので、この永久磁石部材の磁力を利用して、内側袋部材及び金属プレートを収容する外側袋部材を冷却ショーケースの陳列天井部に簡単に取付け、取外しすることができる。また、外側袋部材を冷却ショーケースの陳列天井部に取り付けた状態では、金属プレートが下面側（陳列載置部に対向する側）に位置し、商品を陳列する際などにおいて内側袋部材が傷付くのを防止することができる。更に、内側袋部材及び外側袋部材が熱伝導性の良い材料から形成されているので、内側袋部材及び外側袋部材を介しての冷熱の伝達を良好に行うことができる。
【００２０】
また、本発明の請求項４に記載の蓄熱体によれば、金属プレートが磁性材料から形成されているので、永久磁石部材の磁力を利用して、内側袋部材を金属プレートに磁気的に保持することができる。
【００２１】
また、本発明の請求項５に記載の蓄熱体によれば、内側袋部材の両端部に耳部分が設けられ、この耳部分に永久磁石部材が取り付けられているので、永久磁石部材と金属プレートとの間隔を小さくすることができ、これによって、永久磁石部材の磁力を金属プレートに効果的に作用させることができる。
【００２２】
また、本発明の請求項６に記載の蓄熱体によれば、蓄熱材が収容された収容容器の片面側に永久磁石部材が取り付けられているので、この永久磁石部材の磁力を利用して、収容容器を冷却ショーケースの陳列天井部の内面側に簡単に取付け、取外しすることができる。また、収容容器の他面側に金属プレートが設けられているので、この収容容器を陳列天井部に取り付けた状態では、この金属プレートが下面側に位置し、商品を陳列する際などにおいて収容容器が傷付くのを防止することができる。
【００２３】
また、本発明の請求項７に記載の蓄熱体によれば、収容容器、永久磁石部材及び金属プレートが保護用袋部材に収容されているので、保護用袋部材によって、収容容器などを保護することができる。また、保護用袋部材が熱伝導性の良い材料から形成されているので、保護用袋部材を介しての冷熱の伝達を良好に行うことができる。
【００２４】
更に、本発明の請求項８に記載の冷却ショーケースによれば、ケース本体の陳列天井部の内面側に蓄熱体が取り付けられているので、この蓄熱体からの冷熱は、下方に流れて陳列載置部上の商品を冷却した後にケース本体の前面側に流れるようになり、従って、蓄熱材から放熱される冷熱によって、ケース本体の陳列室を効果的に冷却することができる。
【図面の簡単な説明】
【００２５】
【図１】本発明に従う蓄熱体及びこれを用いた冷却ショーケースの第１の実施形態を簡略的に示す断面図。
【図２】図１の蓄熱体を示す斜視図。
【図３】図２におけるＩＩＩ−ＩＩＩ線による断面図。
【図４】図２の蓄熱体における内側袋部材及びそれに関連する部材を示す平面図。
【図５】図４におけるＶ−Ｖ線による断面図。
【図６】第２の実施形態の蓄熱体における内側袋部材及びそれに関連する部材を示す平面図。
【図７】図６におけるＶＩＩ−ＶＩＩ線による断面図。
【図８】本発明に従う蓄熱体の第３の実施形態を示す斜視図。
【図９】図８におけるＩＸ−ＩＸ線による断面図。
【図１０】本発明に従う蓄熱体の第４の実施形態を示す断面図。
【図１１】本発明に従う蓄熱体の第５の実施形態を示す断面図。
【図１２】冷却ショーケースの電源をオンにしたときの温度変化の状態（蓄熱体Ａ及びＢの双方の状態）を示す図。
【図１３】冷却シューケースの電源をオンしたときの温度変化の状態を一部拡大して示す図。
【図１４】冷却ショーケースの電源をオフしたときの温度変化の状態を一部拡大して示す図。
【発明を実施するための形態】
【００２６】
以下、添付図面を参照して、本発明に従う蓄熱体及びこれを用いた冷却ショーケースの各種の実施形態について説明する。まず、図１を参照して、本発明に従う冷却ショーケースの一実施形態について説明する。
【００２７】
図１において、図示の冷却ショーケースはケース本体２を備え、このケース本体２は、コンビニエンスストアなどの店舗の床面４に設置される。このケース本体２は、上下方向に間隔をおいて配設された底壁８及び上壁１０を有し、これら底壁８及び上壁１０間が一対の側壁１２（図１において一方の側壁のみ示す）及び後壁１４により接続され、これら底壁８、上壁１０、一対の側壁１２及び後壁１４により、前面１６が開放された陳列室１８（陳列空間）が規定され、この陳列室１８内に、商品（例えば、ペットボトル飲料、アルミ缶飲料など）が収容される。
【００２８】
ケース本体２の内側、即ち底壁８、後壁１４及び上壁１０の内側には循環ダクト２０が配設され、この循環ダクト２０は冷気を循環させるための循環流路２１を規定し、この循環ダクト２０の内側に陳列室１８が設けられる。ケース本体２の上端部（即ち、循環ダクト２０の一端部）には吹出し口２２が設けられ、その下端部（即ち、循環ダクト２０の他端部）には吸込み口２４が設けられている。
【００２９】
ケース本体２の循環流路２１内には、空気を冷却するための冷却器２６（所謂、蒸発器）と、空気を循環させるための送風機２８とが配設されている。冷却器２６は、ケース本体２の後壁１４の内側部位に配設され、また送風機２８は、ケース本体２の底壁８の内側部位に配設されている。
【００３０】
冷却器２６に関連して、冷却ユニット３０が設けられる。冷却ユニット３０は、電動モータ（図示せず）により駆動される圧縮機３２及び冷媒を凝縮する凝縮器３４を備え、圧縮機３２及び凝縮器３４が接続流路（図示せず）を介して接続されている。凝縮器３４は往きライン３６を介して冷却器２６の流入側に接続され、圧縮機３２は、戻りライン３８を介して冷却器２６の流出側に接続され、往きライン３６には膨張電磁弁４０が配設されている。循環流路２１を流れる空気は、この冷却器２６において、冷凍ユニット３０から往きライン３６、冷却器２６及び戻りライン３８を通して循環される冷媒との熱交換により冷却される。
【００３１】
冷却器２６にて冷却された空気（冷気）は、循環流路２１の下流側部を通して吹出し口２２に流れ、この吹出し口２２から陳列室１８内に向けて吹き出される。かく吹き出された空気（冷気）は、陳列室１８内を矢印で示すように下方に流れ、このように流れる冷気によって陳列室１８内の商品（例えば、ペットボトル飲料）が冷やされる。陳列室１８内の空気（冷気）は、吸込み口２４から吸い込まれ、かく吸い込まれた空気は、循環流路２１の上流側部を通して冷却器２６に流れ、この冷却器２６で冷却された後に再び陳列室１８内に送給され、このように空気は、循環ダクト２０（循環流路２１）及び陳列室１８を通して循環される。
【００３２】
次いで、ケース本体２内の陳列室１８及びそれに関連する構成について説明する。陳列室１８内には、上下方向に間隔をおいて複数（この形態では、上下方向に４段）の陳列棚４６（陳列載置部４６Ａ〜４６Ｄとも表現する）が設けられ、これら陳列棚４６（陳列載置部４６Ａ〜４６Ｄ）は、ケース本体２の下載置部４７（最下位の陳列載置部４６Ｅとも表現する）の上方に配設され、ケース本体２の後壁１４側（換言すると、循環ダクト２０の内側）から前面１６側に延びており、図１に矢印で示すように、循環ダクト２０の吹出し口２２から吹き出した空気（冷気）の一部は、吸込み口２４に向けて下方に流れて複数の陳列棚４６Ａ〜４６Ｅの前面側においてエアーカーテンを生成して陳列室１８の冷気の漏れを抑え、また吹き出した空気（冷気）の残部は、各陳列棚４６及び下載置部４７（陳列載置部４６Ａ〜４６Ｅ）の上面側に流れて各陳列棚４６及び下載置部４７に陳列された商品（例えば、ペットボトル飲料など）を冷却する。
【００３３】
陳列室１８内に陳列された商品を照明するための照明手段５４が設けられている。照明手段５４は、例えば複数のＬＥＤから構成され、各陳列棚４６及び下載置部４７（陳列載置部４６Ａ〜４６Ｅ）に載置された商品を照明するために、その上側の陳列棚４６Ａ〜４６Ｄの先端部下面に取り付けられ、最上段の陳列棚４６Ａにあっては循環ダクト２０の吹出し口２２の内側に取り付けられている。
【００３４】
この冷却ショーケースにおいては、省エネルギー化を図るために、蓄熱体６２が取り付けられ、この実施形態では、上から第２番目と第３番目の陳列棚４６（陳列載置部４６Ｂ，４６Ｃ）に関連して蓄熱体６２が取り付けられている。この蓄熱体６２は、陳列載置部４６Ａ〜４６Ｅの全てに関連して設けるようにしてもよく、冷却ショーケースの陳列室１８の温度状況に応じて適宜の陳列載置部４６Ａ〜４６Ｅに関連して設けることができる。
【００３５】
次に、図２〜図５を参照して、蓄熱体の第１の実施形態について説明する。図示の蓄熱体６２は、蓄熱剤６４が収容された内側袋部材６６と、金属プレート６８と、内側袋部材６６及び金属プレート６８を収容する外側袋部材７０とを備えている。蓄熱剤６４としては、例えばノルマルパラフィンを主成分とするもの（例えば、特開２００６−３１６１９４号公報に開示されたもの）を好適に用いることができる。この蓄熱剤６４は、冷却ショーケースの陳列室１８を冷却するためのものであり、３〜３０℃の温度範囲、好ましくは３〜２０℃の温度範囲において凝固及び融解するものを用いることができ、陳列室１８の冷却保持温度に応じて適宜に成分調整した蓄熱剤６４を用いることができる。例えば、冷却ショーケースの庫内（陳列室１８）の冷却温度が例えば８〜１０℃である場合、蓄熱剤６４として、この庫内冷却温度よりも幾分高い（例えば、２〜４℃高い）凝固温度特性及び融解温度特性を有するものを用いることができる。
【００３６】
内側袋部材６６は、熱伝導性の良好な材料、例えばアルミ蒸着されたラミネートフィルムなどから形成され、その全周が例えば熱圧着、超音波溶着されて密封袋状に形成され、密封袋状の全周に耳部分７２が設けられ、このような内側袋部材６６の内部に上述した蓄熱剤６４が収容される。
【００３７】
また、金属プレート６８は、例えば鉄（例えば、防錆処理を施したメッキ鋼板など）、アルミニウム又はアルミ合金などの熱伝導性の優れた金属材料から形成されるが、後述するように永久磁石部材７４を用いる場合に鉄などの磁性材料から形成するのが望ましい。この金属プレート６８は、外部応力が加わると幾分弾性変形する程度のものが好ましく、例えばその厚さが０．２〜０．６ｍｍ程度であり、このように構成した場合、蓄熱剤６４が変形した状態で凝固すると、金属プレート６８は、この変形状態に対応した状態に弾性変形し、これによって、後述する如く取り付けた状態の内側袋部材６６の金属プレート６８からの外れを回避することができる。
【００３８】
この金属プレート６８は、図４及び図５に示すように、内側袋部材６６と実質上同じ大きさ又はこれよりも幾分大きい（即ち、その長さ方向及び幅方向の長さがほぼ同じか又は幾分大きい）のが望ましく、このような大きさにすることによって、蓄熱剤６４が収容された内側袋部材６６の片面側（図３及び図５において下面側）の全体を後述するように覆うことができる。
【００３９】
この実施形態では、内側袋部材６６は、永久磁石部材７４の磁力を利用して金属プレート６８に磁気的に保持される。永久磁石部材７４は、略直方体状に形成され、内側袋部材６６の両端部の耳部分７２に取り付けられる。この実施形態では、永久磁石部材７４は、粘着テープ７６の一端側を内側袋部材６６の端部を通して片面側の表面に貼り付け、その他端側を内側袋部材６６の他面側の表面に貼り付けることにより、内側袋部材６６の他面側に取り付けられる。尚、この永久磁石部材７４は、両面テープ、接着剤などを用いて内側袋部材６６の他面側に取り付けるようにしてもよい。
【００４０】
この内側袋部材６８は、図４及び図５に示すように、その片面側が金属プレート６８の表面に載置され、このように載置すると、一対の永久磁石部材７４の磁力が内側袋部材６６の両端部の耳部分７２を通して金属プレート６８に作用し、この両端部の耳部分７２が永久磁石部材７４によって金属プレート６８に磁気的に保持される。この永久磁石部材７４は、内側袋部材６６の他面側の適宜の部位に設けることができるが、この耳部分７２に取り付けることによって、蓄熱剤６４の片寄りを抑えることができるとともに、蓄熱剤６４が収容された内側袋部材６６の厚みを小さく抑えることができる。
【００４１】
この永久磁石部材７４は、直方体状の４角部が丸く面取りされているのが望ましく、このような形状にすることによって、外側袋部材７０に収容した状態においてこの外側袋部材７０に傷などが付いて破損するのを防止することができる。永久磁石部材７４としては、フェライト磁石、ネオジニウム磁石などを用いることができ、磁力の強いネオジニウム磁石を用いた場合、例えば、永久磁石部材７４自体を小さくして内側袋部材６６の耳部分７２の４角部に設けるようにすることができる。
【００４２】
金属プレート６８として非磁性材料、例えばアルミニウムから形成されたものを用いる場合、永久磁石部材７４を利用して内側袋部材６６を金属プレート６８に保持することができないが、かかる場合、内側袋部材６６を両面テープ、粘着テープなどを用いて金属プレート６８に取り付けることができる。
【００４３】
金属プレート６８に取り付けられた内側袋部材６６は、外側袋部材７０に収容される。外側袋部材７０は、内側袋部材６６と同様に、熱伝導性の良好な材料、例えばアルミ蒸着されたラミネートフィルムなどから形成され、その全周が例えば熱圧着、超音波溶着されて密封袋状に形成され、密封袋状の全周に耳部分７８が設けられる。内側袋部材６６を外側袋部材７０に収容することによって、内側袋部材６６が仮に破損したとしても蓄熱剤６４は外側袋部材７０内に漏れるのみであって、外部に漏れ出ることはなく、充分な安全性を確保することができる。
【００４４】
このような蓄熱体６２は、図１及び図３に示すように、ケース本体２の陳列載置部４６に関連して取り付けられる。この実施形態では、陳列載置部４６（４６Ｂ〜４６Ｅ）の陳列天井部８０（８０Ｂ〜８０Ｅ）の内面側に配設される。例えば、陳列載置部４６Ｂ（又は４６Ｃ，４６Ｄ，４６Ｅ）について説明すると、蓄熱体６２は、陳列載置部４６Ｂ（又は４６Ｃ，４６Ｄ，４６Ｅ）に載置された商品（例えば、ペットボトル飲料など）の上方の陳列天井部８０Ｂ（又は８０Ｃ，８０Ｄ，８０Ｅ）の内面側に、換言すると、上側の陳列載置部４６Ａ（又は４６Ｂ，４６Ｃ，４６Ｄ）の底面に取り付けられる。
【００４５】
図示の実施形態では、図１に示すように、蓄熱体６２は、上から第２段目及び第３段目の陳列載置部４６Ｂ，４６Ｃの陳列天井部８０Ｂ，８０Ｃの内面に設けられているが、冷却すべき適宜の陳列載置部４６の的日の陳列天井部８０に設けることができる。
【００４６】
この蓄熱体６２は、図３に示すように、ケース本体２の陳列天井部８０（８０Ｂ，８０Ｃ，８０Ｄ，８０Ｅ）に取り付けられる。即ち、蓄熱体６２の内側袋部材６６に取り付けられた永久磁石部材７４が、陳列天井部８０（８０Ｂ，８０Ｃ．８０Ｄ，８０Ｅ）の内面側に対向するように配置され、かく配置すると、一対の永久磁石部材７４の磁力が陳列天井部８０に作用し、かかる永久磁石部材７４によって、蓄熱体６２が磁気的に保持される。
【００４７】
この取付状態においては、金属プレート６８が、ケース本体２の陳列載置部４６（４６Ｂ，４６Ｃ，４６Ｄ，４６Ｅ）に陳列された商品（図示せず）に対向して位置して内側袋部材６６の表面側を覆っているので、陳列載置部４６（４６Ｂ，４６Ｃ，４６Ｄ，４６Ｅ）に商品を陳列する及び／又は商品を取り出す際に、この商品が蓄熱体６２に当たったとしても内側袋部材６６を傷付けることがなく、蓄熱剤６４の外部への漏れ出しを防止することができる。
【００４８】
この蓄熱体６２を陳列載置部４６（４６Ｂ〜４６Ｅ）の陳列天井部８０（８０Ｂ〜８０Ｅ）の内面側に取り付けると、冷却運転時には、ケース本体２内の冷熱によって蓄熱剤６４が凝固して蓄熱体６２に冷熱が蓄えられ、また除霜運転時には、蓄熱体６４が融解して蓄熱体６２に蓄えられた冷熱が放出される。このとき、蓄熱体６２（蓄熱剤６４）から放熱される冷熱は、陳列天井部８０（８０Ｂ〜８０Ｅ）側から陳列載置部４６（４６Ｂ〜４６Ｅ）側に向けて下方に流れ、かく流れる冷熱によって陳列された商品が冷却される。そして、商品に向けて流れた冷熱は、ケース本体２の前面１６側に流れ、かく流れる冷熱によって陳列室１８（陳列空間）を効果的に冷却することができる。この蓄熱体６２への冷熱の蓄熱、放出の繰返しによって、除霜運転時において陳列室１８内の冷却を効果的に行い、陳列室１８の急激な温度上昇を抑え、冷却ショーケースの省エネルギー運転を行うことができる。
【００４９】
次いで、図６及び図７を参照して、蓄熱体の第２の実施形態について説明する。尚、以下の実施形態において、上述の第１の実施形態と実質上同様の部材には同じ参照番号を付し、その説明を省略する。
【００５０】
図６及び図７において、この第２の実施形態の蓄熱体の内側袋部材６６Ａにおいては、その両側端部９２が筒状となるように溶着され、またその両端部９４，９６は、上述したと同様に溶着される。このような内側袋部材６６Ａを用いた場合、図６と図４とを対比することにより容易に理解される如く、第２の実施形態のものでは、その両端部に耳部分７２Ａが存在するが、その両側部には耳部分が存在せず、従って、内側袋部材６６Ａの幅を小さくし、内側袋部材６６Ａのコンパクト化を図り、その結果、蓄熱体のサイズを小さくすることができる。
【００５１】
第２の形態では、内側袋部材６６Ａの幅方向略中央部に溶着部９８が存在するので、この溶着部９８を避けて、内側袋部材６６Ａの両端部の片側（図６において下側）に、粘着テープ７６によって一対の永久磁石部材７４が取り付けられ、またそれらの他側（図６において上側）に粘着テープ７６によって一対の永久磁石部材７４が取り付けられる。
【００５２】
次に、図８及び図９を参照して、蓄熱体の第３の実施形態について説明する。図８及び図９において、この第３の実施形態の蓄熱体６２Ｐにおいては、蓄熱剤６４が収容容器１０２内に収容され、この収容容器１０２は合成樹脂、例えばポリカーボネイトから形成される。図示の収容容器１０２は直方体状であり、その角部は円弧状に形成されている。この収容容器１０２の片側端面１０４には円柱状の突出部１０６が設けられ、この突出部１０６を把持することによって、ケース本体の陳列天井部（図１参照）への取付け、取外しを容易に行うことができる。
【００５３】
この第３の実施形態では、収容容器１０２の片面（図８及び図９において上面）の両端部に永久磁石部材１０８が配設されている。これら永久磁石部材１０８は接着剤１１０によって収容容器１０２に固着されているが、粘着テープ、両面テープ、面ファスナーなどで固定するようにしてもよい。
【００５４】
この蓄熱体６２Ｐは、第１及び第２実施形態のものに代えて用いることができ、一対の永久磁石部材１０８の磁力を利用してケース本体の陳列天井部の内面に磁気的に取り付けられ、このように取り付けることによって、上述したと同様の作用効果が達成される。
【００５５】
次いで、図１０を参照して蓄熱体の第４の実施形態について説明する。図１０において、この第４の実施形態の蓄熱体６２Ｑでは、収容容器１０２の他面側に金属プレート１１２が配設されている。この金属プレート１１２は、上述したと同様に、鉄などから形成することができ、接着剤１１４（又は粘着テープ、両面テープ、面ファスナーなど）により収容容器１０２の他面に取り付けられ、この収容容器１０２の他面の実質上全域を覆う。この第４の実施形態の蓄熱体６２Ｑのその他の構成は、上述の第３の実施形態と実質上同一である。
【００５６】
この第４の実施形態の蓄熱体６２Ｑでは、その基本的構成が第３の実施形態のものと同一であるので、上述したと同様の作用効果が達成される。加えて、ケース本体の陳列天井部に取り付けた状態においては、金属プレート１１２が、ケース本体の陳列載置部に陳列された商品（図示せず）に対向して位置して収容容器１０２の表面側を覆うので、商品を陳列する及び／又は商品を取り出す際に、この商品が蓄熱体６２Ｑに当たったとしても収容容器６２Ｑを傷付けることがなく、蓄熱剤６４の外部への漏れ出しを防止することができる。
【００５７】
次に、図１１を参照して、蓄熱体の第５の実施形態について説明する。図１１において、この第５の実施形態の蓄熱体６２Ｒでは、収容容器１０２及び金属プレート１１２が保護用袋部材１１６により覆われている。即ち、蓄熱剤６４を収容した収容容器１０２Ｒ、その片面側に取り付けられた永久磁石部材１０８及びその他面側に取り付けられた金属プレート１１４が保護用袋部材１１６で密封されている。この保護用袋部材１１６は、第１及び第２実施形態における外側袋部材と同様の構成のものでよく、熱伝導性の良い材料から形成される。この第５の実施形態の蓄熱体６２Ｒのその他の構成は、上述の第４の実施形態と実質上同一である。
【００５８】
収容容器１０２Ｒなどをこのように保護用袋部材１１６に収容することによって、永久磁石部材１０８及び金属プレート１１２が外側に露出することがなく、衛生上の安全を保つことができるとともに、蓄熱体６２Ｒの取扱いも容易となる。また、このように保護用袋部材１１６で覆った場合、収容容器１０２Ｒに突出部を省略することができ、取り扱いやすいものを提供することができる。尚、金属プレート１１４の端部による保護用袋部材１１６の破損を防止するために、この金属プレート１１４の端部に比較的柔らかい保護テープを貼着するようにしてもよい。
【００５９】
上述した実施形態では、蓄熱体６２（６２Ｐ，６２Ｑ，６２Ｒ）をケース本体２の陳列載置部４６の陳列天井部８０の内面側に取り付けているが、必ずしもこのように取り付ける必要はなく、例えば陳列載置部４６の載置面に載置するように用いることもできる。
【００６０】
また、上述した実施形態では、蓄熱体６２（６２Ｐ，６２Ｑ，６２Ｒ）の永久磁石部材７４（１０８）を利用してこの蓄熱体６２（６２Ｐ，６２Ｑ，６２Ｒ）を陳列載置部４６の陳列天井部８０に取り付けているが、この陳列天井部８０が非磁性材料から形成されているときには永久磁石部材７４を利用することができず、このような場合、例えば、蓄熱体６２（６２Ｐ，６２Ｑ，６２Ｒ）及び陳列天井部８０に相互に係合自在である面ファスナーを取り付け、この面ファスナーを利用して取り付けるようにしてもよく、或いは両面テープを用いて取り付けるようにしてもよい。
【００６１】
この蓄熱体に内蔵される金属プレートの効果を確認するために、次の実施を行った。この実験では、サンデン株式会社製のオープン型冷凍ショーケース（型式：ＦＢＺ−Ｓ３３ＡＰ−Ｓ）に株式会社東芝製の冷凍機（型番ＴＡＭ１３１ＡＭ−ＳＷ、冷凍機出力：０．７５ｋＷ）を組み合わせて用い、また蓄熱体Ａ（金属プレートを備えているもの）として図２〜図５に示す形態のものを用い、また蓄熱体Ｂとして（金属プレートを備えていない）ものを用い、蓄熱体Ａと蓄熱体Ｂとは、金属プレートの有無のみが相違し、蓄熱剤などのその他の構成は同じであった。
【００６２】
蓄熱体Ａ及びＢの蓄熱剤として、ノルマルパラフィンを主成分とするものを用い、その凝固温度及び融解温度が約９℃であった。この蓄熱剤を内側袋部材内に２００ｇ充填した後にこの内側袋部材を溶着して密封した。また、蓄熱体Ａの金属プレートとして亜鉛メッキを施した鉄板を用い、この金属プレートが陳列載置部に対向する（換言すると、表面側となる）ように陳列天井部に取り付けた。また、内側袋部材については、永久磁石部材を利用して鉄板に磁気的に保持した。鉄板の大きさは、縦：２８０ｍｍ、幅：１５０ｍｍ、厚さ０．４ｍｍであった。
【００６３】
この実験に際し、蓄熱体Ａ及びＢを陳列載置部の陳列天井の内面側に３つ並べて取り付け、これら蓄熱体Ａ，Ｂの表面（陳列載置部に対応する部位）に温度センサを取り付けた。そして、実験においては、冷却ショーケース内の温度が約５〜７℃の温度範囲に維持されるように制御し、冷却運転と除霜運転を繰り返し行ったときの蓄熱体Ａ及びＢの表面温度を計測した。冷却ショーケースの運転は、時刻Ｔ０で電源をオンして冷却運転を開始し、時刻ｔ０〜ｔ１、時刻ｔ２〜ｔ３、時刻ｔ４〜ｔ５及び時刻ｔ６〜ｔ７の間は冷却運転を行い、時刻ｔ１〜ｔ２、時刻ｔ３〜ｔ４、時刻ｔ５〜ｔ６の間は除霜運転を行い、時刻ｔ７において冷却ショーケースの電源をオフして冷却運転を終了した。
【００６４】
このように稼働運転したときの蓄熱体Ａ及びＢの温度変化は、図１２に示す通りであり、図１３は、運転開始時の温度変化状態を拡大して示し、図１４は、運転終了時の温度変化状態を拡大して示している。尚、図１２〜図１４において、蓄熱体Ａの温度変化を実線で示し、蓄熱体Ｂの温度変化を破線で示している。
【００６５】
この実験結果から明らかなように、蓄熱体Ａ（金属プレートを備えたもの）の方が蓄熱体Ｂよりも低い温度状態に保たれることが判った。これは、金属プレートとして熱伝導性の優れたものを用いているので、冷却運転においては、蓄熱剤への冷熱の蓄熱が効果的に行われ、また除霜運転においては、蓄熱剤からの冷熱の放出が効果的に行われ、その結果、蓄熱体Ａの表面温度を蓄熱体Ｂよりも低い状態に保てることが確認できた。
【００６６】
尚、時刻ｔ８において蓄熱体Ａと蓄熱体Ｂとの温度が交差し、それ以降蓄熱体Ｂの方が低い温度状態に保たれるが、これは、時刻ｔ８付近で蓄熱体Ａの蓄熱剤が融解し、蓄えられた冷熱の放出が終了して温度の上昇が速くなったものと考えられ、このことからも金属プレートを内蔵する蓄熱体Ａの方が冷熱の放熱が効果的に行われることが確認できた。
【符号の説明】
【００６７】
２  ケース本体
１８  陳列室
４６，４６Ａ，４６Ｂ，４６Ｃ，４６Ｄ，４６Ｅ  陳列載置部
６２，６２Ｐ，６２Ｑ，６２Ｒ  蓄熱体
６４  蓄熱剤
６６，６６Ａ  内側袋部材
６８，１１４  金属プレート
７０  外側袋部材
７４，１０８  永久磁石部材
７６  粘着テープ
８０，８０Ｂ．８０Ｃ，８０Ｄ，８０Ｅ  陳列天井部
１０２，１０２Ｒ  収容容器
１１６  保護用袋部材
【図１】
2017150729.tif 000003
【図２】
2017150729.tif 000004
【図３】
2017150729.tif 000005
【図４】
2017150729.tif 000006
【図５】
2017150729.tif 000007
【図６】
2017150729.tif 000008
【図７】
2017150729.tif 000009
【図８】
2017150729.tif 000010
【図９】
2017150729.tif 000011
【図１０】
2017150729.tif 000012
【図１１】
2017150729.tif 000013
【図１２】
2017150729.tif 000014
【図１３】
2017150729.tif 000015
【図１４】
2017150729.tif 000016
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
熱を蓄えるための蓄熱材と、前記蓄熱材を収容する収容体と、前記収容体の外面に取り付けられた取付け部材と、を備え、前記収容体は、前記取付け部材でもって冷却ショーケースの陳列載置部に載置された商品の上方に配置された陳列天井部の内面側に取り付けられることを特徴とする蓄熱体。
【請求項２】
前記取付け部材は永久磁石部材から構成され、前記収容体は、前記永久磁石部材により前記陳列天井部の内面に磁気的に取り付けられることを特徴とする請求項１に記載の蓄熱体。
【請求項３】
前記収容体は内側袋部材から構成され、前記内側袋部材内に前記蓄熱材が収容され、前記内側袋部材及び前記永久磁石部材が外側袋部材に収容され、前記内側袋部材及び前記外側袋部材が熱伝導性の良い材料から形成されていることを特徴とする請求項２に記載の蓄熱体。
【請求項４】
前記内側袋部材の両端部には、密封袋状とするための耳部分が設けられており、前記永久磁石部材は、前記内側袋部材の前記両端部の前記耳部分に配設されていることを特徴とする請求項３に記載の蓄熱体。
【請求項５】
前記内側袋部材の片面側に金属プレートが配設され、前記永久磁石部材は前記内側袋部材の他面側に配設され、前記内側袋部材、前記永久磁石部材及び前記金属プレートが外側袋部材に収容されていることを特徴とする請求項３に記載の蓄熱体。
【請求項６】
前記金属プレートは磁性材料から形成され、前記内側袋部材は、前記永久磁石部材により前記金属プレートに磁気的に保持されていることを特徴とする請求項５に記載の蓄熱体。
【請求項７】
前記収容体は合成樹脂製の収容容器から構成され、前記収容容器内に前記蓄熱材が収容され、前記永久磁石部材は前記収容容器の片面側に取り付けられていることを特徴とする請求項２に記載の蓄熱体。
【請求項８】
前記収容容器の他面側には金属プレートが配設されていることを特徴とする請求項７に記載の蓄熱体。
【請求項９】
前記収容容器、前記永久磁石部材及び前記金属プレートが保護用袋部材に収容され、前記保護用袋部材が熱伝導性の良い材料から形成されていることを特徴とする請求項８に記載の蓄熱体。
【請求項１０】
陳列室を備えたケース本体と、前記ケース本体の上端部に設けられた吹出し口と、前記ケース本体の下端部に設けられた吸込み口と、前記陳列室の外側にて前記吸込み口と前記吹出し口とを連通する循環ダクトと、前記循環ダクト内に配設された冷却器とを備え、前記ケース本体の前記陳列室には上下方向に間隔をおいて複数の陳列載置部が配設され、前記複数の陳列載置部の上方には陳列天井部が設けられ、更に、前記陳列天井部の内面側には蓄熱体が取り付けられていることを特徴とする冷却ショーケース。
【手続補正２】
【補正対象書類名】明細書
【補正対象項目名】００１１
【補正方法】変更
【補正の内容】
【００１１】
また、本発明の請求項３に記載の蓄熱体では、前記収容体は内側袋部材から構成され、前記内側袋部材内に前記蓄熱材が収容され、前記内側袋部材及び前記永久磁石部材が外側袋部材に収容され、前記内側袋部材及び前記外側袋部材が熱伝導性の良い材料から形成されていることを特徴とする。
【手続補正３】
【補正対象書類名】明細書
【補正対象項目名】００１２
【補正方法】変更
【補正の内容】
【００１２】
また、本発明の請求項４に記載の蓄熱体では、前記内側袋部材の両端部には、密封袋状とするための耳部分が設けられており、前記永久磁石部材は、前記内側袋部材の前記両端部の前記耳部分に配設されていることを特徴とする。
また、本発明の請求項５に記載の蓄熱体では、前記内側袋部材の片面側に金属プレートが配設され、前記永久磁石部材は前記内側袋部材の他面側に配設され、前記内側袋部材、前記永久磁石部材及び前記金属プレートが外側袋部材に収容されていることを特徴とする。
また、本発明の請求項６に記載の蓄熱体では、前記金属プレートは磁性材料から形成され、前記内側袋部材は、前記永久磁石部材により前記金属プレートに磁気的に保持されていることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、本発明の請求項７に記載の蓄熱体では、前記収容体は合成樹脂製の収容容器から構成され、前記収容容器内に前記蓄熱材が収容され、前記永久磁石部材は前記収容容器の片面側に取り付けられていることを特徴とする。
また、本発明の請求項８に記載の蓄熱体では、前記収容容器の他面側には金属プレートが配設されていることを特徴とする。
【手続補正６】
【補正対象書類名】明細書
【補正対象項目名】００１５
【補正方法】変更
【補正の内容】
【００１５】
また、本発明の請求項９に記載の蓄熱体では、前記収容容器、前記永久磁石部材及び前記金属プレートが保護用袋部材に収容され、前記保護用袋部材が熱伝導性の良い材料から形成されていることを特徴とする。
【手続補正７】
【補正対象書類名】明細書
【補正対象項目名】００１６
【補正方法】変更
【補正の内容】
【００１６】
更に、本発明の請求項１０に記載の冷却ショーケースは、陳列室を備えたケース本体と、前記ケース本体の上端部に設けられた吹出し口と、前記ケース本体の下端部に設けられた吸込み口と、前記陳列室の外側にて前記吸込み口と前記吹出し口とを連通する循環ダクトと、前記循環ダクト内に配設された冷却器とを備え、前記ケース本体の前記陳列室には上下方向に間隔をおいて複数の陳列載置部が配設され、前記複数の陳列載置部の上方には陳列天井部が設けられ、更に、前記陳列天井部の内面側には蓄熱体が取り付けられていることを特徴とする。
【手続補正８】
【補正対象書類名】明細書
【補正対象項目名】００１９
【補正方法】変更
【補正の内容】
【００１９】
また、本発明の請求項３に記載の蓄熱体によれば、蓄熱材が内側袋部材に充填され、この内側袋部材及び永久磁石部材が外側袋部材に収容されるので、蓄熱材が充填された内側袋部材を外側袋部材で保護し、内側袋部材に傷などが付くのを防止することができる。また、内側袋部材及び外側袋部材が熱伝導性の良い材料から形成されているので、内側袋部材及び外側袋部材を介しての冷熱の伝達を良好に行うことができる。
また、本発明の請求項４に記載の蓄熱体によれば、内側袋部材の両端部に耳部分が設けられ、この耳部分に永久磁石部材が配設されているので、蓄熱体全体の厚さを効果的に薄くすることができる。
また、本発明の請求項５に記載の蓄熱体によれば、内側袋部材の片面側に金属プレートが配設され、永久磁石部材は内側袋部材の他面側に配設され、内側袋部材、金属プレート及び永久磁石部材が外側袋部材に収容されるので、蓄熱材が充填された内側袋部材を金属プレートで保護することができる。また、内側袋部材の他面側に永久磁石部材が取り付けられているので、この永久磁石部材の磁力を利用して、内側袋部材及び金属プレートを収容する外側袋部材を冷却ショーケースの陳列天井部に簡単に取付け、取外しすることができる。また、外側袋部材を冷却ショーケースの陳列天井部に取り付けた状態では、金属プレートが下面側（陳列載置部に対向する側）に位置し、商品を陳列する際などにおいて内側袋部材が傷付くのを防止することができる。
【手続補正９】
【補正対象書類名】明細書
【補正対象項目名】００２０
【補正方法】変更
【補正の内容】
【００２０】
また、本発明の請求項６に記載の蓄熱体によれば、金属プレートが磁性材料から形成されているので、永久磁石部材の磁力を利用して、内側袋部材を金属プレートに磁気的に保持することができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
また、本発明の請求項７に記載の蓄熱体によれば、蓄熱材が収容された収容容器の片面側に永久磁石部材が取り付けられているので、この永久磁石部材の磁力を利用して、収容容器を冷却ショーケースの陳列天井部の内面側に簡単に取付け、取外しすることができる。
また、本発明の請求項８に記載の蓄熱体によれば、収容容器の他面側に金属プレートが設けられているので、この収容容器を陳列天井部に取り付けた状態では、この金属プレートが下面側に位置し、商品を陳列する際などにおいて収容容器が傷付くのを防止することができる。
【手続補正１２】
【補正対象書類名】明細書
【補正対象項目名】００２３
【補正方法】変更
【補正の内容】
【００２３】
また、本発明の請求項９に記載の蓄熱体によれば、収容容器、永久磁石部材及び金属プレートが保護用袋部材に収容されているので、保護用袋部材によって、収容容器などを保護することができる。また、保護用袋部材が熱伝導性の良い材料から形成されているので、保護用袋部材を介しての冷熱の伝達を良好に行うことができる。
【手続補正１３】
【補正対象書類名】明細書
【補正対象項目名】００２４
【補正方法】変更
【補正の内容】
【００２４】
更に、本発明の請求項１０に記載の冷却ショーケースによれば、ケース本体の陳列天井部の内面側に蓄熱体が取り付けられているので、この蓄熱体からの冷熱は、下方に流れて陳列載置部上の商品を冷却した後にケース本体の前面側に流れるようになり、従って、蓄熱材から放熱される冷熱によって、ケース本体の陳列室を効果的に冷却することができる。